(57)【特許請求の範囲】
【請求項１】
修正前，後の原稿データを読込んで記憶する原稿データ取得手段，
前記原稿データ取得手段により取得した修正前，後の原稿データによって表わされる画像を表示装置の表示画面に表示するように制御する表示制御手段，
位置指示を入力する入力操作手段，
前記入力操作手段から入力される指示に応じて，表示画面上において修正前，後の原稿データによって表わされる画像の少なくとも一方を移動させる移動処理手段，および
修正前，後の原稿データによって表わされる画像の前記移動処理手段によって移動された位置での差分を演算する差分算出手段，
を備える検版装置。
【請求項２】
前記表示制御手段は，修正前，後の原稿データによって表わされる画像を並べて表示する，請求項１に記載の検版装置。
【請求項３】
前記表示制御手段は，修正前，後の原稿データによって表わされる画像を重ねて表示する，請求項１に記載の検版装置。
【請求項４】
前記修正前，後の画像の重なる位置が前記入力操作手段によって指示される，請求項３に記載の検版装置。
【請求項５】
前記表示制御手段は，前記修正前，後の画像のいずれか一方を他方と異なる態様で表示する，請求項３または４に記載の検版装置。
【請求項６】
前記表示制御手段は，前記修正前，後の画像を所定位置に交互に表示する，請求項３に記載の検版装置。
【請求項７】
前記所定位置が前記入力操作手段によって指示された位置である，請求項６に記載の検版装置。
【請求項８】
前記所定位置が，基準点が一致する位置である，請求項６に記載の検版装置。
【請求項９】
前記表示制御手段は，前記差分算出手段によって算出された差分によって表わされる画像を表示する，請求項１に記載の検版装置。
【請求項１０】
修正前，後の原稿データを読込んで記憶装置に記憶し，
前記記憶装置に記憶した修正前，後の原稿データによって表わされる画像を表示装置の表示画面に表示し，
入力操作手段から入力される指示に応じて，表示画面上において修正前，後の原稿データによって表わされる画像の少なくとも一方を移動させるとともに，いずれか一方の画像を他方と異なる態様で表示し，そして
差分演算指示に応じて，修正前，後の原稿データによって表わされる画像の移動処理後の位置での差分を演算する，
検版装置の動作方法。
【発明の詳細な説明】
【技術分野】
【０００１】
この発明は印刷物等のチェック（校正，検査またはその確認等）を行うための検版装置およびその動作方法に関する。
【背景技術】
【０００２】
校正作業業務において，あおり検版と呼ばれる手法がある。あおり検版とは，修正前，後の原稿の印刷物を重ね合わせ，上側の印刷物を素早くめくり，再び重ねる動作を繰返し（「あおり」），両印刷物の残像を利用し，目視で文字や画像の誤りを検査する手法である。しかし，このあおり検版では，修正前，後の印刷物を必要とし，カンプ紙の使用量が多くなりコストが増える問題がある。また検査者の熟練度により見落とし等の事故が発生する可能性が存在する。
【０００３】
そこで検版処理をコンピュータを用いて自動化，効率化する方法，装置が提案されている。これらの提案されている検版方法，装置は２つの原稿の画像（ページ・データ）（画像）をディジタル的に読込んで比較し，その差異を出力するものである。
【先行技術文献】
【特許文献】
【０００４】
【特許文献１】特許第３１１３６３３号
【特許文献２】特許第４３９０８９９号
【０００５】
これら検版装置，方法はいずれも読込んだ画像データの原点位置を合わせて（一致させて），それらの差異を算出するものである。したがって，仮に一方の画像において原点が移動（シフト）していた場合には，２つの画像がその大部分において同じものであったとしても，全体に差異があるという結果が出てしまう。
【発明の概要】
【０００６】
この発明は上記の問題点を克服し，比較対象の原稿データによって表わされる画像の少なくとも一方の原点位置が移動していた場合であっても，一致する部分を正しく一致すると判定でき，かつ異なる部分を差異があると判定できる検版装置およびその動作方法を提供するものである。
【０００７】
この発明による検版装置は，修正前，後の原稿データを読込んで記憶する原稿データ取得手段，前記原稿データ取得手段により取得した修正前，後の原稿データによって表わされる画像を表示装置の表示画面に表示するように制御する表示制御手段，位置指示を入力する入力操作手段，前記入力操作手段から入力される指示に応じて，表示画面上において修正前，後の原稿データによって表わされる画像の少なくとも一方を移動させる移動処理手段，および修正前，後の原稿データによって表わされる画像の前記移動処理手段によって移動された位置での差分を演算する差分算出手段を備えるものである。
【０００８】
この発明によると，ユーザの操作により表示画面上に表示された修正前，後の少なくとも一方を移動させて（場合によっては，移動させないで），一致する部分が最も多くなる位置や両画像の差異が明らかになる位置において両画像を重ね合わせる，または並べて表示することができる。このようにして，ユーザは修正前，後の画像の本当の差異を明確に知ることができる。このとき，修正前，後の画像のいずれか一方を異なる態様（半透明，濃淡が異なる，色が異なる）で表示するとよい。
【０００９】
また，ユーザ操作によって定められた位置において，修正前，後の画像の差分が算出されるから，差分データも明らかになる。好ましくは差分データによって表わされる画像を表示装置に表示する。
【００１０】
この発明による検版装置の動作方法は，修正前，後の原稿データを読込んで記憶装置に記憶し，前記記憶装置に記憶した修正前，後の原稿データによって表わされる画像を表示装置の表示画面に表示し，入力操作手段から入力される指示に応じて，表示画面上において修正前，後の原稿データによって表わされる画像の少なくとも一方を移動させるとともに，いずれか一方の画像を他方と異なる態様で表示し，そして差分演算指示に応じて，修正前，後の原稿データによって表わされる画像の移動処理後の位置での差分を演算するものである。
【図面の簡単な説明】
【００１１】
【図１】検版装置の電気的構成の概要を示す機能ブロック図である。
【図２】修正前，後の画像および差分画像（原点を一致させて演算）を並べて表示画面に表示した様子を示す。
【図３】基準点を一致させて修正前，後の画像を重ねて表示している様子を示す。
【図４】基準点を一致させて差分を演算して得られる差分画像を示す。
【図５】検版処理の一連の流れを示すフローチャートである。
【実施例】
【００１２】
図１は検版装置の全体的な電気的構成の概要を示すものである。
【００１３】
検版装置は制御装置10を含み，これは一般的にはコンピュータにより実現される。制御装置10がプログラムにしたがって動作するときに果たすいくつかの代表的な機能をブロックで表わしている。それは，表示制御部（手段，処理）（移動処理手段を含む）21，差分演算部（差分算出手段，処理）22，入出力制御部（手段，処理）13，記憶部（手段，処理）14，およびデータベース（ＤＢ）制御部（手段，処理）31である。
【００１４】
検版装置はさらに，原稿データ入力部11，操作入力部（入力操作手段）12，表示装置20およびデータベース（ＤＢ）装置30を備えている。
【００１５】
原稿データ入力部11から入力される原稿データには，相互に比較される原稿データ，すなわち修正前の原稿データと修正後の原稿データがある。この検版装置は校正作業業務における検査を行うものであるから，原稿データとは紙に印刷すれば印刷物となるような，または表示装置に表示される画像のような検査対象を表わす。この明細書では原稿データによって表わされる像（表示されたもの，印刷されたもの）を画像という。画像には文字，数字，記号，図形，写真，画像，表（テーブル），その他の表現されたものすべてが含まれる。
【００１６】
比較の対象となるものは，コンピュータ・システムが取扱うものであるから，当然コンピュータ・システム内ではディジタル・データであるが，システムに入力される前にはさまざまな形態をとりうる。すなわち，紙等に印刷されたものでもよいし，ＣＤ−ＲＯＭ等の記録媒体に記録されたものでもよいし，通信回線を通して送信されてくるものでもよい。修正前の原稿（版面）が印刷物で，修正後の原稿データが受信した画像データで表わされるというような組合せも含まれる。当然，修正前，後の原稿がともに印刷物でもよいし，ともにディジタル・データでもよい。
【００１７】
原稿データ入力部11はこのような種々の原稿の形態に対応しうるものである。原稿データ入力部11は，スキャナー，パーソナル・コンピュータ（端末装置），通信装置，ＣＤ−ＲＯＭ等の記録媒体の読取装置のうちのいずれか一つ，または複数の組合せにより実現される。
【００１８】
操作入力部12は基本的にユーザが指示，データ等を入力するもので，一般的にはキーボード，マウス（表示画面と組合せて）等で実現される。ユーザが入力する指示には，２つの原稿データの差分を演算することを指令する指示，表示装置20の表示画面に表示されている画像を表示画面上で移動させる（位置合わせ，位置ずらし）指示，表示する態様（半透明にする，濃淡を変える，色を変える等）を変更または指定する指示，基準点の入力（指定），差分画像の表示指示（並べて表示する形態，重ねて表示する形態，同じ位置に交互に表示する形態等がある）等が含まれる。
【００１９】
入力制御部13はこれらの入力部11，12から入力された原稿データ，その他のデータ，指示，命令等を受付け，必要に応じてそのフォーマット等を変換して，ＤＢ制御部31を経てＤＢ装置30に転送したり，記憶部14に一時的に記憶したり，他の処理部21，22等に転送したりするものである。記憶部14は一般的にハードディスク，または半導体メモリであり，コンピュータ・システムの各種処理プログラムを格納したり，ワークエリアとして働く。
【００２０】
ＤＢ装置30は，入力された修正前，後の原稿データや生成された差分画像の画像データ等を格納する。
【００２１】
差分演算部22は，対をなす（比較対象となる）修正前，後の原稿データの差分を算出する。差分の演算には，２つの原稿データの原点（原稿データのもつ固有の原点，たとえば像の左上角の座標など）を一致させて差を演算する態様と，２つの原稿データの基準点（ユーザが操作入力部12を通して表示装置20の表示画面上で指定する点）を一致させて差を演算する態様とがある。
【００２２】
表示制御部21は，表示装置20における修正前，後の原稿画像，差分画像等の表示を制御するとともに，表示されている画像の表示位置を変更（シフト）する制御を行なう。
【００２３】
図２は表示装置20の表示画面に表示される修正前，後の画像およびそれらの差分画像の一例を示すものである。ここでは分りやすくするために原稿データとして表（テーブル）が例示されている。
【００２４】
修正前の原稿データに対して，修正後の原稿データはホテルＨＡに関するデータを消去したものである。したがって，修正前の原稿データ（画像）では，項目欄（ホテル，日数，旅行代金（Ａコース，Ｂコース）が記入されている欄）の下に，ホテルＨＡ，ホテルＨＢ，ホテルＨＣおよびホテルＨＤの日数と代金の数字が各２行にわたって記入されている欄が順次配置されているのに対して，修正後の画像では，項目欄の下に，ホテルＨＢ，ホテルＨＣおよびホテルＨＤの数字の欄が順次配置されている。
【００２５】
これらの修正前，後の画像（表，テーブル）の原点は表の左上の角である（それぞれＯ１，Ｏ２で示す）。
【００２６】
表示画面には，修正前，後の原稿データの差を演算した結果を表わす差分の像も表示されている。この差分は，修正前，後の原稿データの原点Ｏ１とＯ２とを一致させて演算したものである（差分像には原点がＯとして示されている）。修正前，後の原稿データにおいて項目の欄は一致しているから差分としては何も生じない。項目の欄の下の３つのホテルに関する数字の欄では，共通している文字（アルファベット），数字を除いて差分が表われている。修正前の原稿の最下欄（ホテルＨＤの欄）はそのまま現れている。このような差分像は，たとえば赤色で表示される。
【００２７】
ユーザはこの差分像をみて，殆どすべての原稿データが修正されてしまったのかも知れないと疑問をもつ。そこでユーザは修正前，後の画像を目視して対比し，ホテルＨＢ，ホテルＨＣ，ホテルＨＤに関しては原稿データは変っていないのではないかと考え，修正前の画像においては基準点としてホテルＨＢの左上角の点（Ｒ１で示す）を，修正後の画像においても基準点としてホテルＨＢの左上角の点（Ｒ２で示す）を操作入力部12において指定する。これは操作入力部12からポインティングディバイス（表示されたカーソルとマウス）で行うことができる。または，ユーザは操作入力部12から修正前，後のいずれか一方の画像を移動させて（クリックしてドラッグする），互いに重ね合わせながら両画像が最も良く一致する位置を捜して，そこに位置決めしてもよい（この場合に基準点Ｒ１とＲ２が一致し，この点が図３にＲで示されている）。画像の表示画面上での移動処理は表示制御部21により行なわれる。
【００２８】
基準点Ｒ１とＲ２を一致させるようにして修正前，後の画像を重ね合わせたときに表示される画像が図３に示されている。修正前の画像は半透明に表示される。この画像により，ホテルＨＢ，ホテルＨＣ，ホテルＨＤの数字データに変更がないことが分る。修正後の画像を半透明にして表示したり，修正前，後の画像のいずれか一方の濃淡を変えたり，色を変えたりして表示してもよい。
【００２９】
図３に示すように，修正前，後の画像を基準点Ｒ１，Ｒ２を一致させて重ねて表示することに代えて，基準点Ｒ１，Ｒ２を一致させた状態で比較的速く交互に表示してもよいし（電子的あおり検版），基準点Ｒ１とＲ２を同じ水平ライン（表示画面上の高さが同じ）上にして，修正前，後の画像を並べて表示してもよい。
【００３０】
図４は，基準点Ｒ１とＲ２を一致させた状態で修正前，後の原稿データの差分を演算した結果を示している。ここでも，修正前の画像が半透明で表わされている。差分画像の全体を赤等の目立つ色で表示してもよい。
【００３１】
図５は制御装置10による制御処理手順を示している。
【００３２】
原稿データ入力部11により修正前，後の原稿データが入力され，差分演算部22により原点Ｏ１，Ｏ２を一致させた状態での差分データがＤＢ装置30または記憶部14に格納されているものとする。これらの修正前，後の原稿データおよび差分データを読出して（Ｓ１），表示装置20の表示画面に表示させる（Ｓ２）。差分画像は原点を一致させて差分をとって得られる画像であるから，このとき表示されている修正前，後の画像，差分画像は図２に示すようなものである。
【００３３】
ユーザは操作入力部12を通して，表示されている修正前，後の画像の少なくとも一方を移動させて，最も良く一致する位置で両画像を重ね合わせる。このとき，一方の画像を半透明にする（Ｓ３）（図３に示す画像）。これは基準点が一致している状態である。
【００３４】
基準点が一致している状態で修正前，後の原稿データの差分をとり（Ｓ４），その結果得られる差分データによって表わされる差分画像（図４参照）を表示装置20の表示画面に表示する（Ｓ５）。
【００３５】
校正すべき，またはチェックすべき版面に検査が必要な画像（写真，文字の並び，その他の画像）があれば（ＤＢ装置30や記憶部14に記憶されていれば），Ｓ３〜Ｓ５を繰返す（Ｓ６）。
【符号の説明】
【００３６】
10  制御装置
11  原稿データ入力部（原稿データ取得手段）
12  操作入力部（入力操作手段）
20  表示装置
21  表示制御部（表示制御手段，移動処理手段）
22  差分演算部（差分算出手段）
【図１】
0006464720.tif 000002
【図２】
0006464720.tif 000003
【図３】
0006464720.tif 000004
【図４】
0006464720.tif 000005
【図５】
0006464720.tif 000006